(57)【特許請求の範囲】
【請求項１】
旋回する先端部によって遊技球を打ち出すスイングアームを、その旋回面が遊技盤の盤面と交差するように当該遊技盤の保持枠の後面側に配設して、前記先端部を前記保持枠の前面側へ振り出すようになし、かつ前記スイングアームの基端を、取付ブラケットの一の取付面に回転自在に支持させて当該取付面に設けた駆動モータに結合するとともに、前記一の取付面に対して交差する方向へ延びる前記取付ブラケットの他の取付面に遊技球の球受け部材と発射レールを設けて、これら球受け部材と発射レールの間に前記スイングアームの先端部を振り出すようになしたことを特徴とする遊技球発射装置。
【発明の詳細な説明】
【０００１】
【発明の属する技術分野】
本発明は遊技球発射装置に関し、特にスイングアーム式発射装置の構造改良に関する。
【０００２】
【従来の技術】
パチンコ遊技機等においては、調整が容易、ストロークが十分確保できる、発生トルクが大きい等の利点に鑑みてスイングアーム式の発射装置が多用されている。その一例を図４、図５に示し、図４は発射装置の正面図、図５は図４のV−V線に沿った水平断面図である。
【０００３】
発射装置は略四角形の板状取付ブラケット９上に設けられており、取付ブラケット９は外周部の複数箇所で遊技盤の保持枠２前面（図５の下面）に固定されている。取付ブラケット９の裏面には保持枠２を貫通して円形ケーシングのロータリソレノイド（モータ）５が取り付けられ、その出力軸５１は取付ブラケット９を貫通して前方（図５の下方）へ突出している。出力軸５１にはスイングアーム６の基端が固定されて取付ブラケット９の板面に平行に斜め下方へ延びており（図４）、上方へ屈曲するスイングアーム６の先端６１には円錐台形の槌部材６２が装着されている。スイングアーム６は図４の鎖線で示すように、自重で下方へ旋回してストッパ部材７１に当接する待機位置と、モータ５により上方へ旋回駆動されて実線で示すように基端凸部６３がストッパ部材７２に当接する進出位置との間で移動させられる。
【０００４】
取付ブラケット９上には斜め上方へ向けて発射レール３とこれと平行に球受け部材４とが設けられており、紙面手前側から供給されて球受け部材４の凹所４１からその喉突起４２と発射レール３との間へ転動しここに係止された遊技球Ｂに、図４に示すように進出位置へ旋回したスイングアーム６の槌部材６２が衝突する。これにより、遊技球Ｂは発射レール３に沿って斜め上方へ打ち出され、遊技盤保持枠２に設けた案内路８を経て図略の遊技領域へ送り出される。
【０００５】
【発明が解決しようとする課題】
ところで、上記従来の発射装置は遊技盤下端部の保持枠前面に対する投影面積が大きいため、保持枠前面の残るスペース内で受け皿等の他部品を配置するのに苦慮していた。
【０００６】
そこで、本発明はこのような課題を解決するもので、遊技盤の保持枠前面における投影面積を可及的に小さくして部品配置の自由度を向上させた遊技球発射装置を提供することを目的とする。
【０００７】
【課題を解決するための手段】
上記目的を達成するために、本発明では、旋回する先端部（６２）によって遊技球（Ｂ）を打ち出すスイングアーム（６）を、その旋回面が遊技盤の盤面と交差するように当該遊技盤の保持枠（２）の後面側に配設して、上記先端部（６２）を保持枠（２）の前面側へ振り出すようになし、かつ上記スイングアーム（６）の基端を、取付ブラケット（１）の一の取付面（１ｂ）に回転自在に支持させて当該取付面（１ｂ）に設けた駆動モータ（５）に結合するとともに、上記一の取付面（１ｂ）に対して交差する方向へ延びる上記取付ブラケット（１）の他の取付面（１ａ）に遊技球（Ｂ）の球受け部材（４）と発射レール（３）を設けて、これら球受け部材（４）と発射レール（３）の間に上記スイングアーム（６）の先端部（６２）を振り出すようにする。
【０００８】
本発明においては、スイングアームを遊技盤の盤面と交差するように設けることができるから、遊技盤保持枠前面に対する遊技球発射装置の投影面積が小さくなり、部品配置の自由度が向上する。
【００１０】
なお、上記カッコ内の符号は、後述する実施形態に記載の具体的手段との対応関係を示すものである。
【００１１】
【発明の実施の形態】
図１には発射装置の正面図を示し、図２には発射装置を図１のＸ方向から見た側面図を示す。また、図３には図１のIII−III線に沿った水平断面図を示す。発射装置が設けられる取付ブラケット１は略Ｌ字形（図３）に屈曲成形されて、遊技盤の保持枠２に沿った取付面１ａと、これに直交して保持枠後面側へ延びる取付面１ｂとを有している。取付面１ａは上縁および下縁と、一方の側縁の複数個所に設けた取付孔１１（図１）で保持枠２の前面に固定されており、当該取付面１ａ上には斜め上方へ向けて発射レール３とこれと平行に球受け部材４が設けられている。発射レール３は側縁が「く」字断面（図３）に屈曲成形されて、球受け部材４との間に所定の空間を形成している。球受け部材４には発射レール３との対向面に、図略の遊技球供給口から供給された遊技球を受け入れる凹所４１（図1）が形成され、凹所４１の下縁には発射レール３との間隔を局所的に狭める喉突起４２が形成されている。
【００１２】
取付面１ｂには図２に示すように、中央部に円形ケーシングのロータリソレノイド（モータ）５が取り付けられ、その出力軸５１（図３）が取付面１ｂを貫通して図２の紙面手前側へ突出している。出力軸５１にはスイングアーム６の基端が固定されて取付面１ｂに平行に斜め下方へ延びており、その先端６１は取付面１ａと保持枠２の開口１２，２１（図２、図３）を通過して保持枠２の前面側へ突出している。そして、上方へ屈曲するスイングアーム６の先端６１に円錐台形の槌部材６２が装着されている。スイングアーム６は図２の鎖線で示すように、自重で下方へ旋回して取付面１ｂ上のストッパ部材７１に当接する待機位置と、モータ５により上方へ旋回駆動されて実線で示すように基端凸部６３が取付面１ｂ上のストッパ部材７２に当接する進出位置との間で移動させられる。
【００１３】
上記構造の遊技球発射装置において、図１の紙面手前側から供給された遊技球は球受け部材４の凹所４１から喉突起４２と発射レール３との間へ転動してここに係止される。そして、係止された遊技球Ｂに対して、進出位置へ旋回し保持枠２の前面側へ突出したスイングアーム６の槌部材６２が衝突して（図１に示す状態）、遊技球Ｂは発射レール３に沿って斜め上方へ打ち出され、遊技盤保持枠２に設けた案内路８を経て図略の遊技領域へ送り出される。
【００１４】
このような遊技球発射装置では、スイングアーム６を遊技盤（保持枠２）にほぼ直交して設けることができるから、遊技盤保持枠２の前面に対する装置の投影面積が小さくなり、部品配置の自由度が向上する。なお、スイングアーム６を遊技盤に対して直交させる必要は必ずしもなく、交差する方向に設ければ良いが、直交させた場合に遊技盤保持枠前面に対する装置の投影面積は最も小さくなるから、他部品の部品配置がより容易になる。
【００１５】
【発明の効果】
以上のように、本発明の遊技球発射装置によれば、遊技盤の保持枠前面に対する投影面積を小さくできるから部品配置の自由度を向上させることができる。
【図面の簡単な説明】
【図１】本発明の一実施形態を示す、遊技球発射装置の正面図である。
【図２】図１のＸ方向から見た遊技球発射装置の部分断面側面図である。
【図３】図１のIII−III線に沿った断面図である。
【図４】従来の遊技球発射装置の正面図である。
【図５】図４のV−V線に沿った断面図である。
【符号の説明】
１…取付ブラケット、１ａ，１ｂ…取付面、２…保持枠、３…発射レール、４…球受け部材、６…スイングアーム、６２…槌部材、Ｂ…遊技球。
【図１】
0004548910.tif 000002
【図２】
0004548910.tif 000003
【図３】
0004548910.tif 000004
【図４】
0004548910.tif 000005
【図５】
0004548910.tif 000006